(57)【特許請求の範囲】
【請求項１】
上端開口の筒状をなすケース体２と、該ケース体内に胴部６を嵌合させて着脱可能に装着するとともに、胴部６上端より口頸部８を起立してなる容器本体３とからなり、容器本体３は、胴部６の上端部を拡径した拡径部分をケース体上に指掛け部12として露出するとともに、拡径部分直下の胴部６の外面上部をケース体周壁４内面上部に係合手段を介して抜け出しを防止すべく係合させてなり、上記係合手段による容器本体３の抜け出し防止の確実性を高めるストッパを設けてなることを特徴とする複合容器。
【請求項２】
上記容器本体３の胴部６の係合手段付設部分より口頸部８に至る部分以外を薄肉に形成してなる請求項１記載の複合容器。
【請求項３】
上記容器本体３の胴部に折曲線13を設けてなる請求項１記載の複合容器。
【請求項４】
上記係合手段として、ケース体周壁４内面上部と上記胴部６外面上部との螺合を採用し、上記ストッパが、上記指掛け部12の外面下端部に設けた凹部20と、容器本体のケース体への螺着終点時に凹部20に係合し且つケース体周壁４上面に立設した突起21とからなるストッパである請求項１記載の複合容器。
【請求項５】
上記係合手段として、ケース体周壁４内面所定位置に設けた上面開口の鉤型をなす嵌合凹部10と、容器体胴部６の外周所定位置に設けるとともに、嵌合凹部10の上方から押込み後回動させて嵌合させる突部11とからなる係合手段を採用し、上記ストッパが、嵌合凹部10の横溝部分に突設するとともに、嵌合した突部11に圧接する圧接突起24で構成したストッパである請求項１記載の複合容器。
【請求項６】
上記係合手段として、ケース体周壁４内面所定位置に設けた上面開口の鉤型をなす嵌合凹部10と、容器体胴部６の外周所定位置に設けるとともに、嵌合凹部10の上方から押込み後回動させて嵌合させる突部11とからなる係合手段を採用し、上記ストッパが、上記指掛け部12の下面と、ケース体周壁４の上面とに設けた凹部22及び該凹部22に嵌合する突起23とからなるストッパである請求項１記載の複合容器。
【発明の詳細な説明】
【０００１】
【発明の属する技術分野】
本発明は複合容器に関する。
【０００２】
【従来の技術】
胴部より口頸部を起立した容器本体と、口頸部外周に嵌合させた装着筒により容器本体に装着固定したポンプとからなるポンプ容器が知られている。
【０００３】
これらポンプ容器は、収納液を使い切った後には一般にそのまま廃棄し、新たなポンプ容器を使用している。しかしながら、近年のゴミ処理事情の悪化に伴いできるだけ廃棄物の量, 嵩を少なくすることが要望されており、それに伴い種々の提案がされている。
【０００４】
本出願人はこのような要望に答えるべく、既に詰替式ポンプ付き容器を提案している（特開平10-323586 号）。該容器は、胴部内に口頸部からポンプ連結筒部を介して吸上げパイプを垂設した容器本体を設け、該容器本体の口頸部にポンプを着脱自在装着するとともに、該ポンプの下端の吸込み口をポンプ連結筒部に着脱自在に嵌合させ、容器本体の胴部の外側に外装筒を着脱自在に嵌合させたものである。
【０００５】
上記ポンプ容器は、容器本体の内容物がなくなれば、予め内容物が充填されている詰替容器本体と簡単に交換することができ、つまり、容器価格の大半を占めるポンプと外装筒とを残して低価格の簡易な詰め替え容器本体だけを交換すれば足り、従って、ポンプ及び外装筒を繰り返し使用する豪華で見栄えのよい高級なものにできて、使い捨ての経済的損失をなくすことができ、しかも簡易な容器本体で強度、硬度不足があっても外装で補強することができるだけでなく、その容器本体を外装筒で外力から保護することができる。
【０００６】
また需要者に於いてその都度内容物を充填する面倒がなくて、手間が少なくて済み、充填することで内容物が漏れて周辺を汚すことも内容物のロスを伴うこともない。
【０００７】
【発明が解決しようとする課題】
しかしながら、これらはその構造上容器本体を少なくとも２部材以上で構成しなければならず、その分成形上の煩雑さが伴い、また、使用できるポンプも限定される傾向があり、これらの点に改良の余地があった。
【０００８】
本発明は上記した点に鑑みなされたもので、一部材で容器本体を形成でき、使用できるポンプの限定も少なく、しかも、上記した如き、容器本体の内容物がなくなれば、予め内容物が充填されている詰替容器本体と簡単に交換することができ、低価格の簡易な詰替容器本体だけを交換することができる等の上記した従来の容器体の持つ効果も併せて発揮できる複合容器を提案するものである。
【０００９】
【課題を解決するための手段】
第１の手段として、以下の通り構成した。即ち、上端開口の筒状をなすケース体２と、該ケース体内に胴部６を嵌合させて着脱可能に装着するとともに、胴部６上端より口頸部８を起立してなる容器本体３とからなり、容器本体３は、胴部６の上端部を拡径した拡径部分をケース体上に指掛け部12として露出するとともに、拡径部分直下の胴部６の外面上部をケース体周壁４内面上部に係合手段を介して抜け出しを防止すべく係合させてなり、上記係合手段による容器本体３の抜け出し防止の確実性を高めるストッパを設けてなることを特徴とする複合容器。
【００１０】
第２の手段として、以下の通り構成した。即ち、前記第１の手段に於いて、上記容器本体３の胴部６の係合手段付設部分より口頸部８に至る部分以外を薄肉に形成した。
【００１１】
第３の手段として、以下の通り構成した。即ち、前記第１の手段に於いて、上記容器本体３の胴部に折曲線13を設けた。
【００１２】
第４の手段として、以下の通り構成した。即ち、前記第１の手段に於いて、上記係合手段として、ケース体周壁４内面上部と上記胴部６外面上部との螺合を採用し、上記ストッパが、上記指掛け部12の外面下端部に設けた凹部20と、容器本体のケース体への螺着終点時に凹部20に係合し且つケース体周壁４上面に立設した突起21とからなるストッパである如く構成した。
【００１３】
第５の手段として、以下の通り構成した。即ち、前記第１の手段に於いて、上記係合手段として、ケース体周壁４内面所定位置に設けた上面開口の鉤型をなす嵌合凹部10と、容器体胴部６の外周所定位置に設けるとともに、嵌合凹部10の上方から押込み後回動させて嵌合させる突部11とからなる係合手段を採用し、上記ストッパが、嵌合凹部10の横溝部分に突設するとともに、嵌合した突部11に圧接する圧接突起24で構成したストッパである如く構成した。
【００１４】
第６の手段として、以下の通り構成した。即ち、前記第１の手段に於いて、上記係合手段として、ケース体周壁４内面所定位置に設けた上面開口の鉤型をなす嵌合凹部10と、容器体胴部６の外周所定位置に設けるとともに、嵌合凹部10の上方から押込み後回動させて嵌合させる突部11とからなる係合手段を採用し、上記ストッパが、上記指掛け部12の下面と、ケース体周壁４の上面とに設けた凹部22及び該凹部22に嵌合する突起23とからなるストッパである如く構成した。
【００１７】
【発明の実施の形態】
以下、本発明の実施の形態を図面を参照して説明する。
【００１８】
本発明の複合容器１は、ケース体２と、容器本体３とを備えている。
【００１９】
ケース体２は収納液使用後交換する容器本体３を支持する非交換品で、上端を開口した筒状をなしている。非交換品であるため、耐久性を重視して肉厚、材質等を選択すると良く、その材料としては合成樹脂や金属或いはこれらを併用したものが好ましく使用できる。具体的には合成樹脂ベースの基部表面を金属層で被覆した複層構造のものや、全体を金属により形成したもの等種々の形態を採用できる。また、外面には装飾層を印刷や凹凸形成等適宜方法により付与すると良い。図示例では円筒状の周壁４下端縁より底壁５を延設して構成している。尚、この底壁５には容器本体３の着脱を行い易い様に透孔を設けても良い。
【００２０】
容器本体３はブロー成形等の成形方法により形成された合成樹脂製のもので、内部に液を収納し、収納液を使用後廃棄交換するものであり、筒状の胴部６上端より肩部７を介して口頸部８を起立して構成している。胴部６はケース体２内に嵌合し、また、その外面上部をケース体周壁４内面上部に抜け出しを防止すべく係合させて着脱可能に装着している。この様な係合手段として、図示例の如く、ケース体２内周及び容器本体３外周の所定位置にそれぞれ螺条９を周設して螺着係止可能に構成しても良く或いは、図３に示す如く、ケース体２内面所定位置に上端を開口した鉤型の嵌合凹部10を形成するとともに、容器本体胴部６の外周所定位置に嵌合凹部10に嵌合する突部11を突設して構成しても良い。
【００２１】
また、容器本体３の胴部６上端部を拡径した拡径部分をケース体２上に指掛け部12として露出する如く構成しても良い。この指掛け部12を設けることにより、容器本体３をケース体２から容易に取り外すことができる様に構成している。
【００２２】
また、容器本体３は収納液使用後廃棄する交換用であるため、本発明では、胴部６の係合手段付設部分より口頸部８に至る部分以外を薄肉に形成している。係合手段付設部分はケース体２との係合をしっかりと行うために必要な肉厚を備え、また、その上部の指掛け部12、肩部７、口頸部８は露出部分であるため、ケース体２に保護されていない部分であるため、それなりの剛性を備えた肉厚に形成する。そして、その他の部分は容器本体３のコスト低減のためできるだけ薄肉に形成すると良い。薄肉部6aの薄肉の具体的度合いは、体積５００ml当たりの樹脂量が５〜４０ｇ程度の目安として考えられるがこれに限られるものではない。
【００２３】
また、容器本体３の胴部６に折り畳み用の折曲線13を設けると良い。折曲線13は胴部６に形成した凹溝形態や突条形態の線を、胴部を小さく折り畳むことができる如く配設したものであり、これを設けることにより、廃棄の際に容易に減容でき、嵩の小さい廃棄物として処理することができる如く構成している。折曲線13の具体的配置形態は、容器本体３を小さく折り畳むことができる形態であれば種々選択でき、例えば、図示例の如く、胴部６前後に上下を余して形成した一対の縦長線13a と、各縦長線13a の直下より斜め下方へ各一対の傾斜線13b を形成し、これらの部分からそれぞれ所定方向へ折り曲げることにより図５に示す如く容易に小体積に折り畳むことができる。
【００２４】
また、上記抜け出しを防止すべく係合させる係合手段のストッパを設けてもよい。係合手段として上記した螺合や嵌合凹部への嵌合では上方への抜け出しを充分防止できるものではあるが、このストッパを設けることによりより確実に抜け出しの防止を図れるものである。
【００２５】
図６は上記係合手段として、ケース体周壁４内面上部と上記胴部６外面上部との螺合を採用し、ストッパとして、胴部６上端部を拡径してケース体上に露出させた指掛け部12の外面下端部に設けた凹部20と、容器本体のケース体への螺着終点時に凹部20に係合し且つケース体周壁４上面に立設した突起21とからなるストッパを採用している。凹部20は円弧面状にへこんだものが好ましく採用でき、これに対応して突起21も少なくとも内側が円弧面状に出っ張ったものが好ましく採用できる。
【００２６】
図７は、上記係合手段として、ケース体周壁４内面所定位置に設けた上面開口の鉤型をなす嵌合凹部10と、容器体胴部６の外周所定位置に設けるとともに、嵌合凹部10の上方から押込み後回動させて嵌合させる突部11とからなる係合手段を採用し、ストッパとして、胴部６上端部を拡径してケース体上に露出させた指掛け部12の下面と、ケース体周壁４の上面とに設けた凹部22及び該凹部22に嵌合する突起23とからなるストッパを採用している。本実施例では指掛け部12の下面より突起23を、ケース体周壁４上面に凹部22を、それぞれ形成しているが、逆であっても良い。
【００２７】
図８は上記係合手段として、ケース体周壁４内面所定位置に設けた上面開口の鉤型をなす嵌合凹部10と、容器体胴部６の外周所定位置に設けるとともに、嵌合凹部10の上方から押込み後回動させて嵌合させる突部11とからなる係合手段を採用し、ストッパとして、嵌合凹部10の横溝部分に突設するとともに、嵌合した突部11に圧接する圧接突起24を設けている。この圧接突起24は横溝下面に突設しても良い。
【００２８】
上記の如く構成した複合容器１は、通常のキャップを装着したり、或いはポンプを装着したりして使用することができる。図１乃至図３は、ポンプ14を装着した例を示し、ポンプ14は、上記口頸部８外周に着脱自在に嵌合させた装着筒15により複合容器１に着脱可能に装着固定したもので、装着筒15により固定されたシリンダ16の下部を容器本体内上部に垂下させ、シリンダ16下端には吸上げ用のパイプ17を垂下させている。また、シリンダ16上端より上方付勢状態で上下動可能に突出した噴出ヘッド18を備えている。そして、該ヘッドの上下動により容器本体内の液を吸上げてヘッドの噴出口（図示せず）より噴出する如く構成した公知のポンプ機構を備えている。
【００２９】
この様にポンプを装着した複合容器１は、収納液を使い切った後に、例えば、ケース体２より容器本体３を外す。この際指掛け部12をもって容器本体３を回動させて螺脱させることができる。次いで、容器本体３からポンプ14を外し、図示しない交換用の複合容器にポンプ14を装着した後、再びケース体２を装着して容器本体３を交換することができる。ポンプ14を外した容器本体３は、折曲線13部分で所定方向に折り曲げ折り畳むことができる。尚、図中19はオーバーキャップを示す。
【００３０】
【発明の効果】
以上説明した如く、本発明複合容器は、既述構成としたことにより、容器本体３は一部材で形成するとができ、使用できるポンプの限定も少なく、しかも容器本体３のみを交換すればよいため経済的であり、ポンプを装着してポンプ容器として使用する場合には、ポンプ14とケース体２とを豪華で見栄えの良い高級なものにして繰り返し使用することができ、容器本体３が強度不足であってもケース体２で補強することができるだけでなく、その容器本体３をケース体２で外力から保護することができる。
【００３１】
また、容器本体３の胴部６の係合手段付設部分より口頸部８に至る部分以外を薄肉に形成してなるものにあっては、容器本体３を廃棄する際に、その量を更に少なくすることができ、しかも、使用の際には薄肉部分はケース体２内に保護されているため、使用上何ら不都合を生じない。
【００３２】
また、容器本体３の胴部６上端部を拡径した拡径部分を、ケース体上に指掛け部12として露出してなるものにあっては、容器本体３のケース体２からの取り外しがきわめて容易となる。
【００３３】
更に、容器本体３の胴部に折曲線13を設けたものにあっては、使用後廃棄の際に取り外した容器本体を簡単に小体積に折り畳むことができ、小容積の廃棄物として廃棄することができる。
【００３４】
また、螺合或いは鉤型の嵌合凹部と突部との係合などに代表される抜け出しを防止すべく係合させる係合手段のストッパを設けたものにあっては、係合手段のゆるみ等を防止でき、ケース体からの容器本体の抜け出しをより確実に防止できるものである。
【図面の簡単な説明】
【図１】本発明の一実施例を示す半断面図である。
【図２】同実施例の容器本体をケース体から外した状態の斜視図である。
【図３】本発明の他の実施例を示す要部斜視図である。
【図４】本発明に於ける容器本体の他の一例を示す斜視図である。
【図５】同容器本体を折り畳んだ状態の斜視図である。
【図６】本発明の他の実施例を示す要部斜視図である。
【図７】本発明の更に他の実施例を示す要部斜視図である。
【図８】本発明の更に他の実施例を示す要部斜視図である。
【符号の説明】
２…ケース体、３…容器本体、４…ケース体周壁、６…胴部、８…口頸部、
10…嵌合凹部、11…突部、12…指掛け部、13…折曲部、20…凹部、
21…突起、22…凹部、23…突起、24…圧接突起、
【図１】
0004162877.tif 000002
【図２】
0004162877.tif 000003
【図３】
0004162877.tif 000004
【図４】
0004162877.tif 000005
【図５】
0004162877.tif 000006
【図６】
0004162877.tif 000007
【図７】
0004162877.tif 000008
【図８】
0004162877.tif 000009